【事件の表示】
　上記当事者間の特許第２７２５０６２号「画像処理装置」の特許無効審判事件についてされた平成１４年８月１２日付け審決に対し、東京高等裁判所において審決取消の判決（平成１４年（行ケ）第４７８号、平成１５年６月１８日判決言渡）があったので、更に審理の上、次のとおり審決する。
【結論】
　本件審判の請求は、成り立たない。
　審判費用は、請求人の負担とする。
【理由】
第１　手続の経緯
　特許第２７２５０６２号（以下「本件特許」という。）は、平成１年８月１日に特許出願がされ、平成９年１２月５日にその設定登録がされたものである。
　請求人は、平成１３年５月２５日に本件特許を無効にすることについて審判を請求し、平成１４年８月１２日付けで本件特許の請求項１から６までに係る特許を無効とするとの審決がされた。
　被請求人は、平成１４年９月２０日にこの審決に対する訴（平成１４年（行ケ）第４７８号）を東京高等裁判所に提起した。
　被請求人は、また、平成１４年１１月８日に本件特許の明細書の訂正を求める審判（訂正２００２−３９２３９号）を請求し、平成１５年３月１７日付けでこの訂正を認める審決がされた。この訂正により、特許請求の範囲の請求項１が減縮され、請求項２から６までが削除された。
　平成１５年６月１８日、東京高等裁判所において平成１４年８月１２日付けの審決を取り消すとの判決が言い渡された。
　そして、特許庁において、訂正２００２−３９２３９号事件についてした審決及び訂正明細書について、平成１５年８月２１日付けで請求人に対して通知をし、意見を求めたところ、請求人からは何らの応答もされなかった。
第２　請求人の主張の要点
　本件特許の請求項１に係る発明は、甲第１号証（特開昭６１−８４６７９号公報）に記載された発明であるから特許法２９条１項３号に規定する発明に該当し、特許を受けることができないものであり、また、本件特許の請求項１から６までに係る発明は、甲第１号証、甲第２号証（特開平１−９４３８８号公報）、甲第３号証（特開昭６０−２１７３８６号公報）、甲第４号証（特開昭６２−１３９０８２号公報）、甲第７号証（特開平１−２８０５６３号公報）及び甲第１０号証（寺田文行著「新線形代数」昭和５６年１２月１０日株式会社サイエンス社発行。８６〜８７頁、１０４〜１０５頁。）に記載された発明並びに周知の事項に基いて容易に発明をすることができたものであり、特許法２９条２項の規定により特許を受けることができないものであり、本件特許の請求項１から６までに係る特許は特許法１２３条１項２号の規定により無効とすべきである。
第３　本件特許に係る発明
　本件特許の請求項１に係る発明（以下「本件発明」という。）は、訂正された明細書及び図面の記載からみて、その特許請求の範囲の請求項１に記載された次のとおりのものである。
　「【請求項１】水平方向および垂直方向にそれぞれ複数の画素で構成される表示画面を有するラスタスキャン型表示手段に静止画像を表示する画像処理装置であって、
　前記表示画面上の各画素毎に当該画素の水平方向および前記垂直方向の位置を表す第１の位置データを前記ラスタスキャン型表示手段の走査順に発生するための位置データ発生手段、
　前記静止画像の回転のために、回転中心となる中心座標を表す中心座標データと任意の回転角度を指定する角度データとを含むパラメータデータを与えるためのパラメータデータ付与手段、
　前記位置データ発生手段から前記第１の位置データが出力される毎に、前記第１の位置データおよび前記パラメータデータを用いて、前記中心座標を中心として前記角度データで表された角度だけ前記静止画像を回転させた後の１つの画素の位置を示す第２の位置データを１つの画素毎に演算して出力する位置データ演算手段、
　それぞれが複数の画素からなる複数のキャラクタの各画素の色データを１つのアドレスに１つずつ記憶し、１つの画素毎に１つのアドレスから１つの画素の色データが読み出される第１の記憶手段、
　前記キャラクタが表示されるべき前記表示画面上の位置に対応して、表示すべき複数のキャラクタ毎にキャラクタコードを１つのアドレスに１つずつ記憶し、１つの画素毎に１つのアドレスから１つのキャラクタコードが読み出される第２の記憶手段、
　前記位置データ演算手段から前記第２の位置データが出力される毎に、第２の位置データの上位ビットを前記第２の記憶手段に読出しアドレスとして与え、１つの画素毎にそのアドレスから前記１つのキャラクタコードを読み出すための第１の読出手段、
　前記位置データ演算手段から前記第２の位置データが出力される毎に、前記第１の読出手段によって読み出された前記１つのキャラクタコードおよび前記第２の位置データの残りのビットを前記第１の記憶手段に読出しアドレスとして与え、前記キャラクタデータを構成する画素のうち前記第１の位置データによって指定される前記表示画面上の表示位置に表示されるべき前記１つの画素の色データを１つの画素毎にそのアドレスから優先的に読み出すための第２の読出手段、および
　前記第２の読出手段によって読み出された前記１つの画素の色データを色信号に変換し、前記ラスタスキャン型表示手段の走査に同期する映像信号を発生する映像信号発生手段を備える、画像処理装置。」
第４　甲第１号証から甲第４号証まで、甲第７号証及び甲第１０号証に記載された発明
　請求人により提出された甲第１号証から甲第４号証まで、甲第７号証及び甲第１０号証には次のような記載がされている。
　１　甲第１号証
　甲第１号証には、図面とともに「［産業上の利用分野］この発明は、図形表示に必要なデータを格納したメモリから読出したデータに基づいて、ラスタスキャン方式によって図形を表示するための、図形表示方法および図形表示装置に関するものである。」（１頁左下欄１８行〜右下欄４行）、「［従来の技術］従来、キャラクタジェネレータを用いた装置によって文字または図形などを表示するために、マップおよびキャラクタジェネレータによって表示図形が記憶されたメモリを構成し、マップから読み出された読出された読出アドレス順序データによってキャラクタジェネレータから図形データを読出し、その読出した図形データを、ラスタスキャン方式によって図形として表示している。・・・［発明が解決しようとする問題点］・・・この発明の目的は、図形に回転を与える表示装置を極めて経済性良く構成することができる図形表示方法および図形表示装置を提供することにある。」（１頁右下欄５行〜２頁左下欄１９行）、「［実施例］第１図はこの発明の一実施例を示すブロック図であり、第２３図と同一部分は同記号を用いている。１０は直交座標で表わされる読出信号の内、一方の座標軸を指定する信号を発生するＶカウンタ、１１は他方の座標軸を指定する信号を発生するＨカウンタ、１２は読出信号の座標系に回転を与える座標回転処理部、１３はマップ部４の記憶内容を読出すための信号を発生するマップ読出信号発生部、１４はキャラクタジェネレータ部から図形データを読出すための信号を発生するキャラクタジェネレータ読出信号発生部、１５はキャラクタジェネレータ部、１６はキャラクタジェネレータ部１５から読出したデータを図形に組立てる図形組立部である。・・・第１図の装置はマップ部４のアクセスを行って得られる信号に基づき、キャラクタジェネレータ部１５からデータを読出して、そのデータによって図形または文字を表示している。このためマップ部４とキャラクタジェネレータ部１５によってメモリを構成していることになり、この装置ではメモリは第３図のようになっている。第３図は４つの枠で構成されており、１つの枠の大きさはブラウン管の１画面分を表わしており、メモリの右肩の記号Ａで示す部分を絶対原点、絶対原点から左方向または下方向にアクセスする方向を正、メモリの横方向を水平方向、縦方向を垂直方向と定義する。また、ブラウン管の表示画面の右肩である記号Ｂで示した部分をブラウン管原点と定義する。本装置は第４図に示すように、Ｖカウンタ１０およびＨカウンタ１１の出力信号をメモリの垂直方向のアクセスに用いるか、水平方向のアクセスに用いるかによって、その表示状態を次の様に定義する。（ａ）表示状態Ａ（第４図（ａ）の状態）・・・（ｂ）表示状態Ｂ（第４図（ｂ）の状態）・・・（ｃ）表示状態Ｃ（第４図（ｃ）の状態）・・・（ｄ）表示状態Ｄ（第４図（ｄ）の状態）・・・。Ｖカウンタ１０は処理装置１から供給される表示状態信号が表示状態Ａ、表示状態Ｂを表わすものであるときダウンカウントを行ない、表示状態Ｃ、Ｄを表わすものであるときアップカウントを行なうようになっている。Ｈカウンタ１１は処理装置１から供給される表示状態信号が、表示状態Ｂ、Ｃを表わすものであるときアップカウントを行ない、表示状態Ａ、Ｄを表わすものであるときダウンカウントを行なうようになっている。座標回転処理部１２はＶカウンタ１０、Ｈカウンタ１１から供給される直交座標で表わされる読出信号に、表示状態信号、回転量信号、ブラウン管原点を絶対座標で表わした原点信号、Ｖ信号、Ｖ４信号、Ｈ信号、Ｈ４信号、ＣＨＧ・ＡＤ（Ｖ）信号、ＣＨＧ・ＡＤ（Ｈ）信号、ＣＨＧ・ＮＯ信号を発生するようになっている。マップ読出信号発生部１３はマップ部４の記憶内容を読出す信号の他にキャラクタジェネレータ読出信号発生部１４に供給するＶ４Ｌ信号およびＨ４信号を発生するようになっている。座標回転処理部１２は第５図に示すように横成分原点レジスタ１２ｂ、縦成分原点レジスタ１２ｃ、セレクタ１２ｄ、セレクタ１２ｅ、回転信号演算部１２ｆ、１２ｇ、加算器１２ｈ〜１２ｋから構成されている。・・・回転信号演算部１２ｆ、１２ｇは、処理装置１から供給される回転量を表わす信号に応じてＶカウンタ１０、Ｈカウンタ１１から供給されている信号に回転を与えるようになっており、アフィン変換を行なっている。加算器１２ｉはマップ部４の一方の座標上の位置を表わす５ビットのＶ信号、キャラクタジェネレータの縦方向座標軸上の位置を表わす２ビットのＣＨＧ・ＡＤ（Ｖ）信号、図形組立部１６に供給する２ビットのＣＨＧ・ＮＯ信号を発生するようになっている。加算器１２ｋはマップ４の他方の座標軸上の位置を表わす５ビットのＨ信号、キャラクタジェネレータの横方向座標軸上の位置を表わす２ビットのＣＨＧ・ＡＤ（Ｈ）信号、マスタタイミングを表わす２ビットのＭ・Ｔ信号を発生するようになっている。・・・マップ読出信号発生部１３は第６図に示すように、ラッチ１３ａ、補正データ発生器１３ｂ、加算器１３ｃ、セレクタ１３ｄ〜１３ｉ、ＥＯＲ回路１３ｊ、から構成されている。補正データ発生器１３ｂは処理装置１から供給される回転方向を表わす左右信号、表示状態を表わす表示状態信号に応じて第１表に示す信号を発生するようになっている。」（３頁左上欄１行〜４頁右下欄５行）、「マップ部４は第７図に示すようにマップ４ａ、４ｂ、ラッチ４ｃ、４ｄから構成されており、このマップは第８図に示すように、ブラウン管の１６×１６ピクセルに対応した部分が１単位となっており、これらが３２×３２単位集まってマップ４ａまたはマップ４ｂを構成している。また、１単位のマップが指定された時、このマップ対応する１６×１６のどのピクセルが走査されるタイミングであってもそのマップ内の情報が読出されるようになっている。すなわち、第８図において、実線で示すようなアクセスが行なわれている時、ピクセル１に対応する部分からピクセル１１に対応する部分まで全てＦというデータが読出されるようになっている。キャラクタジェネレータ読出信号発生部１４は第９図に示すようにセレクタ１４ａ〜１４ｆ、スイッチ回路１４ｇ、１４ｊ、ラッチ１４ｈ、シフトレジスタ１４ｉ、１４ｋ、ＥＯＲ回路１４ｍ、１４ｎ、から構成されている。セレクタ１４ａ〜１４ｆは人力端子ｃに供給される信号に応じて入力端子ａまたは入力端子ｂが選択されるようになっている。」（５頁右上欄１行〜左下欄２行）、「キャラクタジェネレータ部１５は・・・キャラクタジェネレータ１５ａ〜１５ｄによって構成されており、各キャラクタジュネレータは後述するＶ形およびＨ形の２種類の図形パターンを、処理装置１から供給される表示状態信号によって選択するようになっているとともに、キャラクタジェネレータ読出信号発生部１４から供給された信号に応じて、その選択された図形パターンから図形データが読出されるようになっている。第１１図はキャラクタジェネレータのパターンのうち、Ｖ形のパターンを示しており、枠外の横方向の数字００〜１１は加算器１２ｈから出力されるＣＨＧ・ＡＤ（Ｈ）信号で指定されるアドレスであり、縦方向の数字は加算器１２ｉから出力されるＣＨＧ・ＡＤ（Ｖ）信号で指定されるアドレスである。１つの枠内はａ〜ｄの４つの部分に分解されて、それらのａ〜ｄの部分のデータはキャラクタジェネレータ１５ａ〜１５ｄにそれぞれ対応しており、その部分はブラウン管の横方向１ピクセル×縦方向４ピクセルのデータが記憶されている。すなわち、縦横１つづつのアドレスで指定される部分の枠は、４×４ピクセル分のデータを記憶している。そして、キャラクタジェネレータの１つ記憶単位は４×４アドレス分すなわち１６×１６ピクセル分となっている。図形組立部１６は第１２図に示すように、シフトレジスタ１６ａ〜１６ｄ、セレクタ１６ｅ、シフトレジスタ１６ｆから構成されている。各シフトレジスタは処理装置１から供給される表示状態信号が表示状態Ａ、ＢのときＭＳＢ（最上位ビット）が先に出力され、表示状態信号が表示状態Ｃ、ＤのときＬＳＢ（最下位ビット）が先に出力されるようになっている。セレクタ１６ｅはシフトレジスタ１６ｆから供給される信号に応じて第４表のように入力信号を選択して送出するようになっている。」（６頁右上欄１行〜左下欄１７行）、「加算器１２ｉおよび加算器１２ｋの出力信号は第６図に示すように、ラッチ１３ａおよびラッチ１３ｇに供給される。」（７頁右上欄１５〜１７行）、「セレクタ１３ｈ、セレクタ１３ｉの出力信号は第７図に示すように、マップ部４に供給されるのでマップ４ａ、マップ４ｂから記憶内容が読出され、読出された記憶内容がラッチ４ｃ、ラッチ４ｄに記憶され、第９図に示すセレクタ１４ａ、セレクタ１４ｂに供給される。」（７頁右下欄８〜１３行）、「キャラクタジェネレータ読出信号発生部１４で発生した信号は第１０図に示すように、キャラクタジェネレータ１５ａ〜キャラクタジェネレータ１５ｄに供給される。」（８頁左上欄２０行〜右上欄３行）、「Ｖ形のパターンのうちマップ部４によって読出される単位は前述したように、第１１図に示すようになっており・・・枠の外側で横方向に記載されたアドレスは第４図の加算器１２ｉから出力されるＣＨＧ・ＡＤ（Ｖ）信号によって指定され、縦方向に記載されたアドレスは第３図の加算器１２ｋから出力されるＣＨＧ・ＡＤ（Ｈ）信号によって指定される。」（８頁右上欄１０〜１９行）、「これらのキャラクタジェネレータから読出されたデータはシフトレジスタ１６ａ〜シフトレジスタ１６ｄに供給されて記憶される。そして、最初のラスタを表示するときは・・・セレクタ１６ｅに対してシフトレジスタ１６ａを選択する信号が供給される。この結果、シフ���レジスタ１６ａのデータ、すなわちキャラクタジェネレータ１５ａから読出されたデータだけが選択され、残りのシフトレジスタ１６ｂ〜１６ｄのデータは捨てられる。この時、シフトレジスタ１６ａ、１６ｆ・・・は同期するようになっている。次に、ＣＨＧ・ＡＤ（Ｈ）信号のデータが０１になると、第１１図のブロックＩＩが選択され、その中から同様にして、キャラクタジェネレータ１５ａから読出されたデータだけが選択される。同様にして、ＣＨＧ・ＡＤ（Ｈ）信号のデータが１０、１１に変化すると、第１１図のブロックＩＩＩ、ＩＶが選択されて、その部分のキャラクタジェネレータ１５ａから読出されたデータだけが選択される。・・・このような動作が次々と行なわれることによって、最初のラスタすなわち第２２図のラスタＡ０が形成される。そして・・・順次隣のラスタが形成され、第２２図に示す最後のラスタＡｎが形成されることによって、１枚の表示画面が形成される。」（８頁右下欄３行〜９頁左上欄１２行）、「キャラクタジェネレータ１５ａ〜キャラクタジェネレータ１５ｄにより読出されたデータは第１２図に示すシフトレジスタ１６ａ〜シフトレジスタ１６ｄに供給されて記憶される。そして、シフトレジスタ１６ｆから供給される信号に対応して、セレクタ１６ｅは端子ａ〜ｄに供給されている信号を選択し、ブラウン管７に送出して表示する。このようにして順次、走査を行なっていけばキャラクタジェネレータ部１５から読出された図形を表わす信号が画面に表示される。」（９頁右上欄９〜１８行）、「次に図形に回転を与える場合の動作について説明する。・・・座標回転処理部１２は図形に回転を与えないとして説明したときの動作に加えて、加算器１２ｉおよび加算器１２ｊの端子ａに供給されている信号に対して、回転信号演算部１２ｆおよび回転信号演算部１２ｇから供給される出力信号を加算する演算を行なう。・・・座標系の回転が行われたことによって、Ｖカウンタ１０およびＨカウタ１１の出力信号が図形に回転を与えないときと同一の値であっても、メモリは異なった位置がアクセスされることになる。今、第１４図の四角形で示すメモリ空間において、横方向の位置がＶアドレス（Ｖカウンタ１０によって指定される座標をＶアドレスと定義する）で指定され、縦方向の位置がＨアドレス（Ｈカウンタ１１によって指定される座標をＨアドレスと定義する）で指定される直交座標で表わされる座標系に回転が与えられていないとき、Ｖカウンタ１０の値を固定し、Ｈカウンタ１１の値を変化させると、記号Ａの実線で示す方向にアクセスが行なわれる。しかし、座標系に回転が与えられているときは、記号Ｂの点線で示す方向にアクセスが行なわれる。すなわち、座標系に回転を与えたときにはメモリ空間が斜めにアクセスされたことになる。マップ読出信号発生部１３から供給された信号によってデータが読出されるマップ部４はブラウン管７のピクセルが縦横１６個で囲まれる区域毎に独立した表示内容が記憶されている。このマップ部４は例えば、第８図に示すようなデータすなわち、中央の２重線で囲まれた部分がアクセスされた時は文字Ｆを表わすデータが読出され、その右隣の部分がアクセスされた時は文字Ｂを表わすデータが読出され、左���がアクセスされた時は文字Ｃを表わすデータが読出され、座標回転処理部１２によって座標系に右方向の回転が与えられていると、マップ部４は第８図の実線のようにアクセスされる。このため、１番目から１１番目までのピクセルはＦという文字を表示するためのデータが読出されるが、１２番目から１６番目までのピクセルはＣという文字を表示するためのデータが読出される。一方、表示タイミング信号は１６ピクセルごとに発生するようになっているので、第８図の横方向の２重線をよぎる度に発生する。・・・座標系に右回転を与えたときは、表示タイミング信号期間中に現在アクセスしている部分の記憶内容の外に、その左隣の部分の記憶内容も読出す必要がある。また座標系に左回転を与えて、第８図の一点鎖線で示す矢印の方向にアクセスするときには、アクセス中の部分の記憶内容の外に、・・・右隣の部分の記憶内容も読出す必要がある。そこで、アクセス中の部分の記憶内容を「ナウ」、その左隣の部分の記憶内容を「ネックスト」、右隣の部分の記憶内容を「バック」と定義する。第６図の補正データ発生器１３ｂはこのような目的のために設けており、ラッチ１３ａから供給されるマップのデータを読出すための５ビットの信号に対して、第１表で示すような補正を行なっている。・・・この結果、加算器１３ｃの・・・出力側の端子ｃの信号は処理装置１から供給される信号に応じて・・・「ネックスト」または「バック」の信号を表わすことになる。・・・キャラクタジェネレータ読出信号発生部１４から供給された信号によってキャラクタジェネレータ部１５から読出されたデータは図形組立部１６で図形に組立てられ、ブラウン管７に供給されて表示される。この結果、座標系に回転を与えないとき、第１５図（ａ）に示すように、三角形の図形が画面に表示されているとき、第８図の実線の矢印で示すようにメモリをアクセスすると、表示図形は第１５図（ｂ）に示すように左方向に回転した図形として表示される。また、第８図の一点鎖線で示すようにメモリをアクセスすると、表示図形は第１５図（ｃ）に示すように右方向に回転した図形として表示される。第２０図はキャラクタジェネレータに文字Ｆが記憶されているとき、このキャラクタジェネレータが回転を与えられた太線で示す直交座標でアクセスされたときの表示状態を説明するための図である。同図において、文字Ｆのデータは第１１図と同様に記憶されているので、ＣＨＧ・ＮＯの００はキャラクタジェネレータ１５ａに、０１はキャラクタジェネレータ１５ｂに、１０はキャラクタジェネレータ１５ｃに、１１はキャラクタジェネレータ１５ｄに対応している。キャラクタジェネレータから読出すデータは４個のキャラクタジェネレータから同時に読出されて、シフトレジスタ１６ａ〜１６ｄに記憶されている。最初は１番目のピクセルから１６番目のピクセルまでをアクセスし、シフトレジスタ１６ｆからＣＨＧ・ＮＯの・・・データがセレクタ１６ｅに供給され、キャラクタジェネレータ１５ｃのデータを記憶しているシフトレジス１６ｃが選択される。そしてこのシフトレジスタ１６ｃにマスタタイミング信号が供給され、１番目のピクセルに対応するデータと２番目のピクセルに対応するデータが続けて読出さ���る。このとき、他のシフトレジスタにもマスタタイミング信号が供給されているので、記号Ｂ、Ｃ、ロ、ハで表わされるピクセルに対応するデータも読出されるが、これらのデータは今のタイミングではセレクタ１６ｅで選択されていないので、出力されない。なお、このタイミングでシフトレジスタ１６ｃから読出されたデータは文字Ｆではなく空白の部分であるから「０」である。次に３番目のピクセルに対応するために必要なデータがキャラクタジェネレータ１５ｄのデータを記憶しているシフトレジスタ１６ｄから読出すためにシフトレジスタ１６ｆからデータ「１１」がセレクタ１６ｅに供給される。そして、このシフトレジスタ１６ｄからマスタタイミングの３ビット目に３番目のピクセルに必要なデータが読出される。このデータは文字Ｆを表示するためのものであるから、「１」である。同様にして４番目のピクセルに対応するデータ「１」が読出されるが、このデータはＣＨＧ・ＡＤ（Ｖ）のデータが変化しているので、読出されたデータはそのＣＨＧ・ＡＤ（Ｖ）信号に対応したキャラクタジェネレータのものである。以下同様にして次々とアクセスが行なわれていく。最初のアクセスが終了すると、記号Ａ〜Ｐの列のアクセスが行なわれ、順次イ〜タの列、ａ〜ｐの列とアクセスが行なわれていく。この結果、第２１図の斜線部で示すように、文字Ｆが回転した図形が表示される。この装置ではＣＨＧ・ＡＤ（Ｖ）とＣＨＧ・ＡＤ（Ｈ）とで指定されるキャラクタジェネレータは同時に読出し、そのうちから必要なデータを使用するようにしたので、メモリの読出し速度はこのメモリを１個で構成したときの４分の１ですみ、装置を簡単で経済性良く構成することができる。・・・メモリのアクセスは表示図形に回転を与える必要がないとき、第８図の点線に示す方向に行なわれるが、回転を与える必要があるときは、処理装置１から供給される回転量信号によってこのアクセス方向が任意に制御される。この制御は第１６図に示すように、現在走査中のピクセルの次に走査するピクセルは走査中のピクセルに隣接するピクセルとなるようにしている。このため、ピクセルＰ１の次に走査されるピクセルはＰ１〜Ｐ３のいづれかであり、アクセス方向は最大４５度に限定されるようになっている。この結果、プラス、マイナス４５度だけ異なる方向のアクセスを行なうと、回転を与えないとき第１７図の実線のように表示される図形は、第１７図の一点鎖線の位置から点線の位置までの範囲で回転することになる。しかし、このままでは表示図形に４５度以上の回転を与えることはできないが、メモリの横方向のアクセスをＨカウンタ１１に基づいて加算器１２ｋから発生する信号（この信号をＨアクセス信号と定義する）によって行ない、メモリの縦方向のアクセスをＶカウンタ１０に基づいて加算器１２ｉから発生する信号（この信号をＶアクセス信号と定義する）によって行なうと・・・第１８図（ｂ）に示すように表示される。この結果、第１８図（ｂ）の一点鎖線で表示される図形は、第１７図の実線で示す図形を１３５度右方向に回転させたことになる。一方、第１７図において、Ｖアクセス信号および、Ｈアクセス信号の変化方向をそれぞれ逆方向にすると、表示される図形は第１８図（ａ）���示すようになる。・・・第１８図（ａ）において、Ｖアクセス信号およびＨアクセス信号を入れ換えると、表示される図形は第１８図（ｄ）に示すようになる。・・・第１８図（ｄ）においてＶアクセス信号とＨアクセス信号を入れ換えたうえで、Ｖアクセス信号のデータ変化方向を逆にすると、表示される図形は第１８図（ｃ）に示すようになる。・・・すなわち、Ｖアクセス信号およびＨアクセス信号のとりかたおよび、そのデータの変化方向を選択することによって、図形を任意の角度に回転して表示させることができる。・・・前述の図形に回転を与える説明は表示状態Ｃにおける状態を基準に説明しているので、使用したキャラクタジェネレータのパターンは第１１図に示すように、横方向の位置がＣＨＧ・ＡＤ（Ｖ）信号で表わされ、縦方向の位置がＣＨＧ・ＡＤ（Ｈ）信号で表されるＶ形のパターンを使用していた。表示状態Ａにおいても、各信号の変化方向が変るだけで、信号の組み合わせそのものは変わらないので、第１１図に示すＶ形のパターンを使用できる。しかし、表示状態Ｂ、Ｄでは横方向がＨアクセス信号であって、縦方向がＶアクセス信号であるから、第１１図に示すものと同一の図形を画面に表示しようとすると、第１９図に示すようなＶ形のパターンを９０度回転させたＨ形のパターンを使用する必要がある。このため、キャラクタジェネレータ１５ａ〜１５ｄはＶ形のパターンとＨ形の種類のパターンを有し、処理装置１から供給される表示状態信号回転信号によってそのパターンを選択している。なお、処理装置１は表示状態信号、原点信号、回転量信号、左右方向信号発生しているが、この信号は操作者の手動によって制御しても良いし、ソフウェアの制御によって発生しても良い。また回転角は最大４５度としているがそれ以下でもよく、またマップおよびキャラクタジェネレータで構成したメモリはＲＡＭでもよいので、グラフィックディスプレイであっても、極めて高速に図形の回転表示が行なえる。また、表示図形に連続的な回転を与えるには処理装置１から発生する回転量信号を連続的に変化させればよい。」（９頁左下欄１行〜１３頁左上欄１３行）との記載がされている。
　２　甲第２号証
　甲第２号証には、図面とともに「（発明の目的）本発明は・・・画像記憶メモリの書き換えを行うことなく、少ない処理で表示画面上の映像の移動、拡大、縮小、回転を行うことが可能なモニタ画面表示の制御方法を提供することを目的とする。（発明の構成）本発明は、所望のスタート位置より水平、垂直方向にオフセットしつつ走査する仮想画面に対応して画像記憶メモリをアクセスし、ビデオディスプレイに映像を表示するモニタ画面表示の制御方法であって、上記仮想画面を形成するパラメータがレジスタに書き込まれ、かつ、このパラメータを操作することにより表示画面の映像を水平、垂直方向に移動、拡大、縮小もしくは回転させるものである。」（１頁右下欄１２行〜２頁左上欄７行）との記載がされている。
　３　甲第３号証
　甲第３号証には、図面とともに「［従来技術］近年、ビデオゲーム機器等の表示装置においては、動画と静止画とを合わせて表示できるようになっている。例えば、鳥が飛んでいる動画を表示する場合、鳥のパターン・・・を８×８画素程度のドットパターンで構成し、これを表示単位として予めメモリに格納しておき、表示位置を逐次ずらしながら表示することによって動画を得ている。また、背景は静止画として表示しておくことができる。・・・第１図は、従来のディスプレイコントローラの構成を示すブロック図である。・・・ＶＲＡＭ５は・・・静止画パターンテーブル５ａと、静止画パターンの表示位置を記憶する静止画制御テーブル５ｂと、各静止画パターンのカラーコード（４ビット）を記憶する静止画カラーテーブル５ｃと・・・を有している。」（１頁右下欄１２行〜２頁右上欄２行）との記載がされている。
　４　甲第４号証
　甲第４号証には、図面とともに「直交座標で（ｘ、ｙ）の座標にある点を（ｘｃ、ｙｃ）の点を回転中心としてθだけ回転した座標を（ｘ’、ｙ’）とすると、（ｘ’、ｙ’）と（ｘ、ｙ）、（ｘｃ、ｙｃ）、θとの関係は、・・・（１）で表現できる。・・・入力の走査画像と回転・独立変倍処理済の走査画像を図示したものが、第１１図ｂ、第１１図ｃである。第１１図ｂが原画像、第１１図ｃが回転・独立変倍処理後の画像である。」（２頁左下欄７行〜３頁左上欄２行）との記載がされている。
　５　甲第７号証
　甲第７号証には、図面とともに「第１の発明は・・・ラスタースキャン方式の画像処理装置において、所定の画像に対して１本又は複数本の走査線毎にウインドウを設定し、上記所定の画像を上記ウインドウ内に表示するように拡大縮小させることを特徴とする。」（２頁右下欄５〜１０行）との記載がされている。
　６　甲第１０号証
　甲第１０号証には、「アフィン変換　行列・・・と列べクトル・・・が与えられたとする。座標平面上の点Ｐ（ｘ、ｙ）に、次の式で定まる点Ｐ’（ｘ’、ｙ’）を対応させる。・・・このような写像をアフィン変換という。・・・よってアフィン変換は・・・線形変換に続いて平行移動をするような写像である。」（８６頁１〜８行）との記載がされている。
第５　当審の判断
　本件発明と甲第１号証に記載された発明とを対比すると、甲第１号証に記載された「キャラクタジェネレータ部１５」、「マップ部４」、「マップ読出信号発生部１３」、「キャラクタジェネレータ読出信号発生部１４」は、それぞれ、本件発明の「第１の記憶手段」、「第２の記憶手段」、「第１の読出手段」、「第２の読出手段」に一応対応するということができる。
　しかしながら、甲第１号証記載の「キャラクタジェネレータ部１５」は４個のキャラクタジェネレータ１５ａないし１５ｄによって構成されており、各キャラクタジュネレータはＶ形及びＨ形の２種類の図形パターンを処理装置１から供給される表示状態信号によって選択するようになっているものであるが、各画素の色データを１つのアドレスに１つずつ記憶し、１つの画素毎に１つのアドレスから１つの画素の色データが読み出されるものではなく、甲第１号証記載の「マップ部４」は２個のマップ４ａ及び４ｂ、ラッチ４ｃ及び４ｄから構成されており、このマップは１６×１６ピクセルに対応した部分が１単位となっており、１単位のマップが指定された時、このマップに対応するどのピクセルが走査されるタイミングであってもそのマップ内の情報が読出されるようになっているものであるが、キャラクタコードを１つのアドレスに１つずつ記憶して１つの画素毎に１つのアドレスから１つのキャラクタコードが読み出されるものではなく、甲第１号証記載の「マップ読出信号発生部１３」はラッチ１３ａ、補正データ発生器１３ｂ、加算器１３ｃ、セレクタ１３ｄないし１３ｉ、ＥＯＲ回路１３ｊから構成され、補正データ発生器１３ｂは処理装置１から供給される回転方向を表わす左右信号、表示状態を表わす表示状態信号に応じて補正用の信号を発生するようになっており、表示タイミング信号が１６ピクセル毎に発生するため表示タイミング信号期間中に現在アクセスしている部分の記憶内容のほかに左隣又は右隣の部分の記憶内容も読み出す必要があるものであるが、演算された位置データが出力される毎にその上位ビットを読出アドレスとして与えて１つの画素毎にそのアドレスから１つのキャラクタコードを読み出すものではなく、甲第１号証記載の「キャラクタジェネレータ読出信号発生部１４」はセレクタ１４ａないし１４ｆ、スイッチ回路１４ｇ、１４ｊ、ラッチ１４ｈ、シフトレジスタ１４ｉ、１４ｋ、ＥＯＲ回路１４ｍ、１４ｎから構成されており、キャラクタジェネレータから読み出されるデータは４個のキャラクタジェネレータから同時に読み出されてシフトレジスタ１６ａないし１６ｄに記憶され、シフトレジスタ１６ｆからのＣＨＧ・ＮＯのデータがセレクタ１６ｅに供給されてシフトレジスタが選択され、マスタタイミング信号が供給されてピクセルに対応するデータが読出されるものであるが、演算された位置データが出力される毎にその残りのビットを読出しアドレスとして与えて１つの画素の色データを１つの画素毎にそのアドレスから優先的に読み出すものではない。
　したがって、甲第１号証に記載された発明は、少なくとも本件発明の構成要件である「それぞれが複数の画素からなる複数のキャラクタの各画素の色データを１つのアドレスに１つずつ記憶し、１つの画素毎に１つのアドレスから１つの画素の色データが読み出される第１の記憶手段、前記キャラクタが表示されるべき前記表示画面上の位置に対応して、表示すべき複数のキャラクタ毎にキャラクタコードを１つのアドレスに１つずつ記憶し、１つの画素毎に１つのアドレスから１つのキャラクタコードが読み出される第２の記憶手段、前記位置データ演算手段から前記第２の位置データが出力される毎に、第２の位置データの上位ビットを前記第２の記憶手段に読出しアドレスとして与え、１つの画素毎にそのアドレスから前記１つのキャラクタコードを読み出すための第１の読出手段、前記位置データ演算手段から前記第２の位置データが出力される毎に、前記第１の読出手段によって読み出された前記１つのキャラクタコードおよび前記第２の位置データの残りのビットを前記第１の記憶手段に読出しアドレスとして与え、前記キャラクタデータを構成する画素のうち前記第１の位置データによって指定される前記表示画面上の表示位置に表示されるべき前記１つの画素の色データを１つの画素毎にそのアドレスから優先的に読み出すための第２の読出手段」を備えていない。
　そして、本件発明はこの点により明細書記載の格別の作用、効果を奏するものということができる。
　そうすると、本件発明が甲第１号証に記載された発明ということはできない。
　また、甲第２号証から甲第４号証まで、甲第７号証及び甲第１０号証についてみても、これらには本件発明の構成要件である上記の「第１の記憶手段」、「第２の記憶手段」、「第１の読出手段」及び「第２の読出手段」を備える点は記載されていない。甲第７号証については、平成１年１１月１０日に公開されたもので、本件特許に係る出願の出願日である平成１年８月１日前に公知となったものでもない。したがって、甲第１号証記載の発明において上記の点を備えるようにすることが容易にできたものということはできず、また、上記の点により本件発明は明細書記載の格別の作用、効果を奏するものであるから、本件発明は、当業者が甲第１号証から甲第４号証まで、甲第７号証及び甲第１０号証に記載された発明に基いて容易に発明をすることができたものであるということもできない。
第６　むすび
　以上のとおりであるから、請求人が主張する理由及び証拠によっては本件特許を無効にすることはできない。
　審判に関する費用については、特許法１６９条２項で準用する民事訴訟法６１条の規定により、請求人が負担すべきものとする。
　よって、結論のとおり審決する。